(57)【要約】【課題】複数種類のコンテンツを含むコンテンツデータを記憶装置に記録した場合、該コンテンツデータに含まれる複数種類のコンテンツそれぞれを容易に管理可能とする管理情報を提供できる記録装置を実現することにある。【解決手段】本発明の放送信号記録装置１は、放送データ１７からデータの種別を示すＰＩＤを読み出し、ＡＶデータ３１と番組属性情報１８とに分離するデータ分離部１２と、データ分離部１２によって分離された番組属性情報１８に基づき、ＡＶデータ３１を管理するための管理データ３２を生成する管理データ作成部１３とを備える。受付けた放送データ１７に複数種類のＡＶデータ３１が含まれる場合、管理データ作成部１３は、複数種類のＡＶデータ３１の番組属性情報１８それぞれを結合して管理データ３２を生成する。【選択図】図１
2007124575.tif 000002
【特許請求の範囲】
【請求項１】
デジタル放送による伝送信号を放送データに変換し、記憶装置に記録する記録装置であって、
上記放送データにはコンテンツデータおよび該コンテンツデータの内容を示す属性情報が含まれており、
上記放送データからデータの種別を示す種別情報を読み出し、該種別情報に基づき放送データをコンテンツデータと属性情報とに分離する分離手段と、
上記分離手段によって分離された属性情報に基づき、上記コンテンツデータを管理するための管理用データを生成する管理用データ生成手段とを備え、
上記受付けた伝送信号に複数種類のコンテンツデータが含まれる場合、上記管理用データ生成手段は、該複数種類のコンテンツデータの属性情報それぞれを結合して管理用データを生成することを特徴とする記録装置。
【請求項２】
上記分離手段によって分離されたコンテンツデータにおいて、ランダムアクセス可能なフレーム位置であるキーフレームを示す情報であるキーフレーム情報を抽出する抽出手段をさらに備え、
上記管理用データ生成手段は、上記抽出手段により抽出されたキーフレーム情報を含めて管理用データを生成することを特徴とする請求項１に記載の記録装置。
【請求項３】
上記抽出手段は、上記キーフレーム情報を、該キーフレーム情報により示されるキーフレームのコンテンツデータにおける再生時間を示す情報と対応付けて抽出することを特徴とする請求項２に記載の記録装置。
【請求項４】
上記受付けた伝送信号に複数種類のコンテンツデータが含まれる場合、
上記分離手段は、上記種別情報に基づき、上記属性情報をコンテンツデータの種類ごとに区別して分離しており、
上記管理用データ生成手段は、上記分離手段により区別された属性情報それぞれの結合位置に、該属性情報の記述において用いられない記号をとして挿入し、管理用データを生成することを特徴とする請求項１〜３のいずれか１項に記載の記録装置。
【請求項５】
上記受付けた伝送信号に複数種類のコンテンツデータが含まれる場合、
上記分離手段は、上記種別情報に基づき、上記属性情報をコンテンツデータの種類ごとに区別して分離しており、
上記管理用データ生成手段は、上記分離手段により区別された属性情報それぞれのデータ量を算出し、この算出したデータ量を含めて管理用データを生成することを特徴とする
請求項１〜３のいずれか１項に記載の記録装置。
【請求項６】
請求項１〜５のいずれか１項に記載の記録装置によって記録されたコンテンツデータと、管理用データとを取得し、選択された管理用データに対応するコンテンツデータを出力する出力装置であって、
上記管理用データに基づき該管理用データに対応するコンテンツデータの属性情報を出力する属性情報出力手段と、
コンテンツデータを出力するコンテンツデータ出力手段とを備え、
上記属性情報出力手段により出力された属性情報の中から特定の属性情報を指定する情報を受付けた場合、上記コンテンツデータ出力手段は、指定された属性情報に対応するコンテンツデータを選択し出力することを特徴とする出力装置。
【請求項７】
請求項４に記載の記録装置によって記録されたコンテンツデータと、管理用データとを取得し、選択された管理用データに対応するコンテンツデータを出力する出力装置であって、
上記管理用データに基づき該管理用データに対応するコンテンツデータの属性情報を出力する属性情報出力手段と、
上記属性情報出力手段により出力された属性情報の中から指定された属性情報に対応するコンテンツデータを選択し出力するコンテンツデータ出力手段とを備え、
上記管理用データが、複数の属性情報が結合されて生成されている場合、上記属性情報出力手段は、属性情報それぞれの結合位置に挿入された上記区切り記号に基づき、複数の属性情報を分離して出力することを特徴とする出力装置。
【請求項８】
請求項５に記載の記録装置によって記録されたコンテンツデータと、管理用データとを取得し、選択された管理用データに対応するコンテンツデータを出力する出力装置であって、
上記管理用データに基づき該管理用データに対応するコンテンツデータの属性情報を出力する属性情報出力手段と、
上記属性情報出力手段により出力された属性情報の中から指定された属性情報に対応するコンテンツデータを選択し出力するコンテンツデータ出力手段とを備え、
上記管理用データが、複数の属性情報が結合されて生成されている場合、上記属性情報出力手段は、各属性情報のデータ量に基づき、複数の属性情報を分離して出力することを特徴とする出力装置。
【請求項９】
請求項２〜５のいずれか１項に記載の記録装置によって記録されたコンテンツデータと、管理用データとを取得し、コンテンツデータの編集を行う編集装置であって、
上記コンテンツデータの分割または結合位置を指定する指定情報を受付ける受付け手段と、
上記取得した管理用データからキーフレーム情報を抽出するキーフレーム情報抽出手段と、
上記受付け手段により受付けた指定情報と、上記キーフレーム情報抽出手段とによって抽出されたキーフレーム情報とに基づき、該指定情報に応じたコンテンツデータのキーフレーム位置を、コンテンツデータにおける分割または結合位置として決定する決定手段と、
上記決定手段によって決定された分割または結合位置に応じて管理用データおよびコンテンツデータそれぞれを分割または結合するデータ分割・結合手段とを備えることを特徴とする編集装置。
【発明の詳細な説明】
【技術分野】
【０００１】
本発明は、デジタル放送による伝送信号を記録するための記録装置、記録装置によって記録された放送信号を出力するための出力装置、および／または編集するための編集装置に関するものである。
【背景技術】
【０００２】
近年、インターネット等の通信ネットワークの普及に伴い、この通信ネットワークを通じて他端末から映像データ等を取得し自装置に記録する機会が増加している。また、インターネットを通じて他端末から取得した映像データ等を蓄積する場合に利用されるファイルフォーマットとして、例えばＡＳＦ（Advanced Streaming Format）またはＭＰ４などが良く知られている。これらのファイルフォーマットでは、音響・映像データ（以下ＡＶデータと称する）などのコンテンツに加えて、このコンテンツに関するタイトル、著作権者情報などの属性情報も合わせて格納することができるようになっている。
【０００３】
また、上記ファイルフォーマットは、デジタル放送により配信されたテレビ番組などを取得し記録する場合にも利用することができる。すなわち、デジタル放送では、例えば配信された番組コンテンツの番組名情報などはＥＩＴ（Event Information Table）と呼ばれるフォーマットでＡＶデータとともにＴＳ（Transport Stream）パケット形式で多重化される。
【０００４】
このため、上記したようなファイルフォーマットで蓄積された番組コンテンツから番組名情報等を取得する場合、蓄積された番組コンテンツのデータを多重分離し上記ＥＩＴを抜き出す必要がある。また、ＥＩＴを抜き出すためには、多重分離処理した番組コンテンツのデータを先頭から順に見ていく必要がある。
【０００５】
したがって、蓄積された番組コンテンツから番組名情報等を取得するには時間がかかりこれら番組名情報等を利用して表示させることは困難となる。
【０００６】
そこで、この問題を解決するため、特許文献１では番組コンテンツのタイトル、放送時間などの情報を、該番組コンテンツのデータを多重分離する際にあらかじめ抽出しておき、その結果を別の管理ファイルに格納してコンテンツのリスト表示時に利用する方法が開示されている。
【０００７】
また、デジタル放送により配信された番組コンテンツを取得し、上記したファイルフォーマット等を用いて蓄積した際、１ファイルに複数種類の番組コンテンツを含む場合がある。例えば、ユーザからの録画開始および停止の指示に応じて、一定期間、放送番組の録画を行い、この録画された結果を１つのファイルとして記録したとき、この記録された１ファイルに複数種類の番組が含まれている場合などである。
【０００８】
ところで、上記したファイルフォーマットを利用してデジタル放送を記録した結果、１ファイルに複数番組を含んでいる場合、上記した属性情報の格納位置は１つであり、記録された番組ごとに応じて該番組の属性情報を格納させる格納位置をそれぞれ設けることができない。これは、上記したＡＳＦなどのファイルフォーマットを用いて番組を１ファイルとして記録する場合、番組名などの属性情報を格納させるために準備されている格納領域が１つだけであるからである。
【０００９】
このため、従来では複数番組のいずれか１つの属性情報（例えば、最初に記録された番組の属性情報）のみを上記格納領域に格納させることで対応している。しかしながらこの対応では、デジタル放送により配信された番組を記録したファイルにおいて、上記格納領域に格納した番組名の番組以外にどのような番組が含まれているかについてユーザが容易に参照することができないという問題が生じる。
【００１０】
そこで、このような問題を解決するために、例えば、特許文献２では、デジタル放送により配信された番組を一定期間記録する際、番組のＳＩ（Service Information）情報を参照して自動的に番組ごとにファイルを作成する方法が開示されている。
【特許文献１】特開２００３−１９６９５４号公報（２００３年７月１１日公開）
【特許文献２】特開２００３−１９９００７号公報（２００２年１月２５日公開）
【発明の開示】
【発明が解決しようとする課題】
【００１１】
しかしながら、上述した特許文献１および特許文献２では以下の問題が生じる。
【００１２】
すなわち、特許文献１の方法では、複数の番組を含むＡＶデータを録画し１ファイルとして記録する場合、録画されるＡＶデータに含まれる各番組の属性情報それぞれをユーザが参照可能とする構成については開示されていない。
【００１３】
また、特許文献１に示す方法では、録画開始から録画停止するまでに記録される番組コンテンツごとに応じてファイルが生成されるため、これらのファイルと各番組とを関連付ける等の管理がさらに必要となり、ファイル管理の処理が煩雑となるといった問題が生じる。また特許文献１に示す方法では、受信した複数の番組コンテンツを各ファイルに分類する際、一度ファイルをクローズし、その後別ファイルをオープンするといった処理が必要となる。通常これらファイルオープンおよびファイルクローズの処理には時間がかかるため、クローズしてからオープンするまでの間に受信した番組コンテンツについては、該番組コンテンツを一時的に保持するためのメモリをわざわざ設けない限り記録することができないといった問題が生じる。
【００１４】
本発明は、上記の問題点に鑑みてなされたものであり、その目的は、複数種類のコンテンツを含むコンテンツデータを記憶装置に記録した場合、該コンテンツデータに含まれる複数種類のコンテンツそれぞれを容易に管理可能とする管理情報を提供できる記録装置、出力装置、および編集装置を実現することにある。
【課題を解決するための手段】
【００１５】
本発明に係る記録装置は、上記した課題を解決するために、デジタル放送による伝送信号を放送データに変換し、記憶装置に記録する記録装置であって、上記放送データにはコンテンツデータおよび該コンテンツデータの内容を示す属性情報が含まれており、上記放送データからデータの種別を示す種別情報を読み出し、該種別情報に基づき放送データをコンテンツデータと属性情報とに分離する分離手段と、上記分離手段によって分離された属性情報に基づき、上記コンテンツデータを管理するための管理用データを生成する管理用データ生成手段とを備え、上記受付けた伝送信号に複数種類のコンテンツデータが含まれる場合、上記管理用データ生成手段は、該複数種類のコンテンツデータの属性情報それぞれを結合して管理用データを生成することを特徴とする。
【００１６】
ここで、上記コンテンツデータとは、例えばデジタル放送により配信される番組データ等であり、上記属性情報とは、例えば、コンテンツデータが番組データである場合は、この番組データに関する番組名、放送日時、著作権情報、および／または番組内容などの情報である。
【００１７】
上記構成によると、分離手段を備えているため、放送データからコンテンツデータの属性情報を分離させることができる。また、管理用データ生成手段を備えているため、分離させた属性情報に基づき、該属性情報に応じたコンテンツデータを管理するための管理用データを生成することができる。このため、管理用データを参照することにより、記憶装置に記憶したコンテンツデータに関する内容を把握することができる。
【００１８】
また、上記管理用データ生成手段は、受付けた伝送信号に複数種類のコンテンツデータが含まれる場合、この複数種類のコンテンツデータの属性情報それぞれを結合して管理用データを生成する。このため、複数種類のコンテンツデータを例えば１つのファイルで記憶装置に記録した場合であっても、生成された管理用データを参照するだけで、記憶装置に記録されたコンテンツデータそれぞれの内容について把握することができる。
【００１９】
このように、本発明に係る記録装置は、上記管理用データ生成手段を備えているため、生成された管理用データを参照するだけで、記憶装置に記録された複数種類のコンテンツデータそれぞれの内容を容易に把握することができる。
【００２０】
したがって、本発明に係る記録装置は、複数種類のコンテンツデータを記憶装置に記録した場合、複数種類のコンテンツデータそれぞれを容易に管理可能とする管理用情報を提供できるという効果を奏する。
【００２１】
また、本発明に係る記録装置は、上記した構成において、上記分離手段によって分離されたコンテンツデータにおいて、ランダムアクセス可能なフレーム位置であるキーフレームを示す情報であるキーフレーム情報を抽出する抽出手段をさらに備え、上記管理用データ生成手段は、上記抽出手段により抽出されたキーフレーム情報を含めて管理用データを生成するように構成されていてもよい。
【００２２】
上記構成によると、抽出手段をさらに備えるため、上記管理用データ生成手段は、管理用データに、コンテンツデータにおいてランダムアクセス可能な単位に関する情報を含めることができる。
【００２３】
したがって、本発明に係る記録装置は、記憶装置に記録するコンテンツデータをランダムアクセス可能な単位で管理できる管理用データを提供することができる。
【００２４】
また、本発明に係る記録装置は、上記した構成において、上記抽出手段は、上記キーフレーム情報を、該キーフレーム情報により示されるキーフレームのコンテンツデータにおける再生時間を示す情報と対応付けて抽出するように構成されていることが好ましい。
【００２５】
上記構成によると、上記抽出手段は、抽出したキーフレーム情報と、このキーフレーム情報により示されるキーフレームのコンテンツデータにおける再生時間を示す情報と対応付けている。このため、再生時間によって、コンテンツデータにおけるランダムアクセス可能な単位に対応する管理情報を指定することができる。
【００２６】
このように、再生時間によりコンテンツデータにおけるランダムアクセス可能な単位に対応する管理情報を指定できるため、該管理情報を参照して所望する位置でコンテンツデータを分離させたり、結合させたりして編集することができる。
【００２７】
また、本発明に係る記録装置は、上記した構成において、上記受付けた伝送信号に複数種類のコンテンツデータが含まれる場合、上記分離手段は、上記種別情報に基づき、上記属性情報をコンテンツデータの種類ごとに区別して分離しており、上記管理用データ生成手段は、上記分離手段により区別された属性情報それぞれの結合位置に、該属性情報の記述において用いられない記号をとして挿入し、管理用データを生成するように構成されていることが好ましい。
【００２８】
上記構成によると、上記管理用データ生成手段は、分離手段により区別された属性情報それぞれの結合位置に、該属性情報の記述において用いられない記号を区切り記号として挿入し、管理用データを生成する。このため、複数種類のコンテンツデータの属性情報を結合させた管理用データを出力させる場合、この挿入した記号を参照し該記号位置で管理用データを分割して出力させたり、この挿入した記号も共含めて管理用データを出力させたりするなどして、各コンテンツデータの種類ごとに管理用データを識別可能とすることができる。
【００２９】
また、本発明に係る記録装置は、上記した構成において、上記受付けた伝送信号に複数種類のコンテンツデータが含まれる場合、上記分離手段は、上記種別情報に基づき、上記属性情報をコンテンツデータの種類ごとに区別して分離しており、上記管理用データ生成手段は、上記分離手段により区別された属性情報それぞれのデータ量を算出し、この算出したデータ量を含めて管理用データを生成するように構成されていてもよい。
【００３０】
上記構成によると、管理用データ生成手段は、分離手段により区別された属性情報それぞれのデータ量を算出し、このデータ量を含めて管理用データを生成することができる。
【００３１】
このため、管理用データに含めた上記データ量によって、各コンテンツデータの種類ごとに管理用データを識別可能とすることができる。
【００３２】
本発明に係る出力装置は、上記した課題を解決するために、上記した記録装置によって記録されたコンテンツデータと、管理用データとを取得し、選択された管理用データに対応するコンテンツデータを出力する出力装置であって、上記管理用データに基づき該管理用データに対応するコンテンツデータの属性情報を出力する属性情報出力手段と、コンテンツデータを出力するコンテンツデータ出力手段とを備え、上記属性情報出力手段により出力された属性情報の中から特定の属性情報を指定する情報を受付けた場合、上記コンテンツデータ出力手段は、指定された属性情報に対応するコンテンツデータを選択し出力することを特徴とする。
【００３３】
上記構成によると、属性情報出力手段を備えているため、コンテンツデータの属性情報を出力させることができるため、該コンテンツデータの内容をユーザに示すことができる。また、コンテンツデータ出力手段を備えているため、上記コンテンツデータ出力手段は、指定された属性情報に対応するコンテンツデータを選択し出力することができる。
【００３４】
したがって、本発明に係る出力装置は、ユーザが所望するコンテンツデータを出力させることができるという効果を奏する。
【００３５】
本発明に係る出力装置は、上記した課題を解決するために、上記分離手段、上記管理用データ生成手段、および上記抽出手段を備えた記録装置によって、記録されたコンテンツデータと、管理用データとを取得し、選択された管理用データに対応するコンテンツデータを出力する出力装置であって、上記管理用データに基づき該管理用データに対応するコンテンツデータの属性情報を出力する属性情報出力手段と、上記属性情報出力手段により出力された属性情報の中から指定された属性情報に対応するコンテンツデータを選択し出力するコンテンツデータ出力手段とを備え、上記管理用データが、複数の属性情報が結合されて生成されている場合、上記属性情報出力手段は、属性情報それぞれの結合位置に挿入された上記区切り記号に基づき、複数の属性情報を分離して出力することを特徴とする。
【００３６】
上記構成によると、属性情報出力手段を備えているため、コンテンツデータの属性情報を出力させることができ、該コンテンツデータの内容をユーザに示すことができる。また、上記管理用データが、複数の属性情報が結合されて生成されている場合、属性情報出力手段は、属性情報それぞれの結合位置に挿入された上記区切り記号に基づき、複数の属性情報を分離させた形式で管理用データを出力させることができる。
【００３７】
このように、本発明に係る出力装置は、複数の属性情報を結合して管理用データが生成されている場合であっても、属性情報それぞれの結合位置に挿入された上記区切り記号に基づき各属性情報を分離させて出力させることができるため、ユーザにコンテンツデータの種類ごとに応じた属性情報を選択させることができる。
【００３８】
よって、本発明に係る出力装置は、ユーザに所望の属性情報を選択させることができるため、該ユーザが所望するコンテンツデータを出力させることができるという効果を奏する。
【００３９】
本発明に係る出力装置は、上記した課題を解決するために、上記分離手段、上記管理用データ生成手段、および上記抽出手段を備えた記録装置によって記録されたコンテンツデータと、管理用データとを取得し、選択された管理用データに対応するコンテンツデータを出力する出力装置であって、上記管理用データに基づき該管理用データに対応するコンテンツデータの属性情報を出力する属性情報出力手段と、上記属性情報出力手段により出力された属性情報の中から指定された属性情報に対応するコンテンツデータを選択し出力するコンテンツデータ出力手段とを備え、上記管理用データが、複数の属性情報が結合されて生成されている場合、上記属性情報出力手段は、各属性情報のデータ量に基づき、複数の属性情報を分離して出力することを特徴とする。
【００４０】
上記構成によると、属性情報出力手段を備えているため、コンテンツデータの属性情報を出力させることができ、該コンテンツデータの内容をユーザに示すことができる。また、上記管理用データが、複数の属性情報が結合されて生成されている場合、属性情報出力手段は、各属性情報のデータ量に基づき、管理データを、複数の属性情報を分離させた形式で出力することができる。
【００４１】
このように、本発明に係る出力装置は、複数の属性情報を結合して管理用データが生成されている場合であっても、属性情報それぞれのデータ量に基づき各属性情報を分離させて出力させることができるため、ユーザにコンテンツデータの種類ごとに応じた属性情報を選択させることができる。
【００４２】
よって、本発明に係る出力装置は、ユーザに所望の属性情報を選択させることができるため、該ユーザが所望するコンテンツデータを出力させることができるという効果を奏する。
【００４３】
本発明に係る編集装置は、上記した課題を解決するために、上記分離手段、上記管理用データ生成手段、および上記抽出手段を備えた記録装置によって記録されたコンテンツデータと、管理用データとを取得し、コンテンツデータの編集を行う編集装置であって、上記コンテンツデータの分割または結合位置を指定する指定情報を受付ける受付け手段と、上記取得した管理用データからキーフレーム情報を抽出するキーフレーム情報抽出手段と、上記受付け手段により受付けた指定情報と、上記キーフレーム情報抽出手段とによって抽出されたキーフレーム情報とに基づき、該指定情報に応じたコンテンツデータのキーフレーム位置を、コンテンツデータにおける分割または結合位置として決定する決定手段と、上記決定手段によって決定された分割または結合位置に応じて管理用データおよびコンテンツデータそれぞれを分割または結合するデータ分割・結合手段とを備えることを特徴とする。
【００４４】
上記構成によると、決定手段を備えているため、受付手段によって受付けた指定情報に応じたコンテンツデータのキーフレーム位置を分割位置として決定することができる。また、分割・結合手段を備えているため上記決定手段によって決定された分割または結合位置に応じて管理用データおよびコンテンツデータそれぞれを分割または結合させることができる。
【００４５】
したがって、本発明に係る編集装置は、指定した位置にてコンテンツデータを分割または結合して編集することができるという効果を奏する。
【発明の効果】
【００４６】
本発明に係る記録装置は、上記した課題を解決するために、デジタル放送による伝送信号を放送データに変換し、記憶装置に記録する記録装置であって、上記放送データにはコンテンツデータおよび該コンテンツデータの内容を示す属性情報が含まれており、上記放送データからデータの種別を示す種別情報を読み出し、該種別情報に基づき放送データをコンテンツデータと属性情報とに分離する分離手段と、上記分離手段によって分離された属性情報に基づき、上記コンテンツデータを管理するための管理用データを生成する管理用データ生成手段とを備え、上記受付けた伝送信号に複数種類のコンテンツデータが含まれる場合、上記管理用データ生成手段は、該複数種類のコンテンツデータの属性情報それぞれを結合して管理用データを生成することを特徴とする。
【００４７】
したがって、本発明に係る記録装置は、複数種類のコンテンツデータを記憶装置に記録した場合、複数種類のコンテンツデータそれぞれを容易に管理可能とする管理用情報を提供できるという効果を奏する。
【００４８】
本発明に係る出力装置は、上記した課題を解決するために、上記した記録装置によって記録されたコンテンツデータと、管理用データとを取得し、選択された管理用データに対応するコンテンツデータを出力する出力装置であって、上記管理用データに基づき該管理用データに対応するコンテンツデータの属性情報を出力する属性情報出力手段と、コンテンツデータを出力するコンテンツデータ出力手段とを備え、上記属性情報出力手段により出力された属性情報の中から特定の属性情報を指定する情報を受付けた場合、上記コンテンツデータ出力手段は、指定された属性情報に対応するコンテンツデータを選択し出力することを特徴とする。
【００４９】
したがって、本発明に係る出力装置は、ユーザが所望するコンテンツデータを出力させることができるという効果を奏する。
【００５０】
本発明に係る出力装置は、上記した課題を解決するために、上記分離手段、上記管理用データ生成手段、および上記抽出手段を備えた記録装置によって、記録されたコンテンツデータと、管理用データとを取得し、選択された管理用データに対応するコンテンツデータを出力する出力装置であって、上記管理用データに基づき該管理用データに対応するコンテンツデータの属性情報を出力する属性情報出力手段と、上記属性情報出力手段により出力された属性情報の中から指定された属性情報に対応するコンテンツデータを選択し出力するコンテンツデータ出力手段とを備え、上記管理用データが、複数の属性情報が結合されて生成されている場合、上記属性情報出力手段は、属性情報それぞれの結合位置に挿入された上記区切り記号に基づき、複数の属性情報を分離して出力することを特徴とする。
【００５１】
よって、本発明に係る出力装置は、ユーザに所望の属性情報を選択させることができるため、該ユーザが所望するコンテンツデータを出力させることができるという効果を奏する。
【００５２】
本発明に係る出力装置は、上記した課題を解決するために、上記分離手段、上記管理用データ生成手段、および上記抽出手段を備えた記録装置によって記録されたコンテンツデータと、管理用データとを取得し、選択された管理用データに対応するコンテンツデータを出力する出力装置であって、上記管理用データに基づき該管理用データに対応するコンテンツデータの属性情報を出力する属性情報出力手段と、上記属性情報出力手段により出力された属性情報の中から指定された属性情報に対応するコンテンツデータを選択し出力するコンテンツデータ出力手段とを備え、上記管理用データが、複数の属性情報が結合されて生成されている場合、上記属性情報出力手段は、各属性情報のデータ量に基づき、複数の属性情報を分離して出力することを特徴とする。
【００５３】
よって、本発明に係る出力装置は、ユーザに所望の属性情報を選択させることができるため、該ユーザが所望するコンテンツデータを出力させることができるという効果を奏する。
【００５４】
本発明に係る編集装置は、上記した課題を解決するために、上記分離手段、上記管理用データ生成手段、および上記抽出手段を備えた記録装置によって記録されたコンテンツデータと、管理用データとを取得し、コンテンツデータの編集を行う編集装置であって、上記コンテンツデータの分割または結合位置を指定する指定情報を受付ける受付け手段と、上記取得した管理用データからキーフレーム情報を抽出するキーフレーム情報抽出手段と、上記受付け手段により受付けた指定情報と、上記キーフレーム情報抽出手段とによって抽出されたキーフレーム情報とに基づき、該指定情報に応じたコンテンツデータのキーフレーム位置を、コンテンツデータにおける分割または結合位置として決定する決定手段と、上記決定手段によって決定された分割または結合位置に応じて管理用データおよびコンテンツデータそれぞれを分割または結合するデータ分割・結合手段とを備えることを特徴とする。
【００５５】
したがって、本発明に係る編集装置は、指定した位置にてコンテンツデータを分割または結合して編集することができるという効果を奏する。
【発明を実施するための最良の形態】
【００５６】
本発明の一実施形態について図１ないし図１０に基づいて説明すると以下の通りである。すなわち、本実施の形態に係る放送信号処理システム１００は、外部から放送信号１６を受信し、受信したこの放送信号１６を例えば表示装置５において再生したり、受信した放送信号１６に基づく放送データ１７を編集したりするものである。この放送信号処理システム１００は、図２に示すように、放送信号記録装置（記録装置）１、放送信号再生装置（出力装置）２、データ記憶部（記憶装置）３、放送信号編集装置（編集装置）４、および表示装置５を備えてなる構成である。この図２は、本実施の形態に係る放送信号処理システム１００の概略構成を示すブロック図である。
【００５７】
すなわち、上記放送信号記録装置１は、放送信号１６を受信し、映像データと音声データとからなるＡＶデータ（コンテンツデータ）３１と、該ＡＶデータ３１に対応する例えば番組タイトルなどの情報を含む管理データ（管理用データ）３２を生成するものである。放送信号記録装置１は、生成したＡＶデータ３１および管理データ３２をデータ記憶部３に記録したり、受信した放送信号１６をリアルタイムに再生する場合、放送信号１６から生成したＡＶデータ３１を放送信号再生装置２に送信したりする。
【００５８】
放送信号再生装置２は、データ記憶部３に記憶されたＡＶデータ３１および管理データ３２を読み出し、これらのデータに基づき映像および音声データを生成するものである。なお、放送信号再生装置２は、読み出した管理データ３２に基づき、表示装置５において再生可能な番組を示すリストの情報（リスト情報）を生成するものでもあり、この生成したリスト情報を表示装置５に送信し再生させることができる。
【００５９】
また、表示装置５において再生されたリスト情報を参照してユーザが再生を所望する番組を指定することができるようになっており、放送信号再生装置２は、この再生が所望される番組を示す情報（番組の情報）を表示装置５から受付ける。そして、放送信号再生装置２は、この受付けた番組の情報に応じて、生成した映像および音声データを表示装置５に出力する。
【００６０】
データ記憶部３は、読み書き可能な記録媒体であり、例えばハードディスクなどにより実現することができる。このデータ記憶部３では、放送信号記録装置１から受信したＡＶデータ３１および管理データ３２を記憶したり、これら記憶したデータを放送信号再生装置２または放送信号編集装置４により読み出されたりする。
【００６１】
放送信号編集装置４は、データ記憶部３に記憶されたＡＶデータ３１および管理データ３２を指定された分割位置で分割し複数のＡＶデータ（ＡＶデータ３１ａ、ＡＶデータ３１ｂ）と複数の管理データ（管理データ３２ａ、管理データ３２ｂ）とを生成するものである。放送信号編集装置４は、分割したＡＶでデータ３１と管理データ３２とをデータ記憶部３に送信し記憶させる。
【００６２】
表示装置５は、放送信号再生装置２から受信した映像および音声データに基づき該映像および音声を再生するものである。また、表示装置５は、放送信号再生装置２から受信したリスト情報に基づき、再生可能な番組のリストを表示させるものである。
【００６３】
（放送信号記録装置の構成）
以下において、図１を参照して上記した放送信号記録装置１の構成について説明する。なお、この図１は、本発明の実施形態を示すものであり、放送信号記録装置１の要部構成を示すブロック図である。
【００６４】
本実施の形態に係る放送信号記録装置１は、チューナ部１１、データ分離部（分離手段）１２、管理データ作成部（管理用データ生成手段）１３、記録制御部１４、およびキーフレーム情報抽出部（抽出手段）１５を備えてなる構成である。
【００６５】
チューナ部１１は、選局した周波数の放送信号１６を例えば放送局等から受信し、ＯＦＤＭ（Orthogonal Frequency Division Multiplexing；直交周波数分割多重方式）などの復調処理を施して、ＴＳ（Transport Stream）パケットの集まりである放送データ１７を生成するものである。各ＴＳパケットには、パケットそれぞれに格納されているデータの種別を表す識別ＩＤ（Packet Identifier;ＰＩＤ（種別情報））が含まれている。チューナ部１１は、生成した放送データ１７をデータ分離部１２に送信する。
【００６６】
データ分離部１２は、放送データ１７に含まれる各ＴＳパケットのＰＩＤを参照して、該ＴＳパケットを分離するものである。より具体的には、データ分離部１２は、ＴＳパケットのうち、番組名、放送日時、著作権情報、番組内容などの番組に関する情報である、いわゆるＥＩＴ（Event Information Table）を含むＴＳパケット（以後、番組属性情報（属性情報）１８と呼ぶ）と、映像や音声を含むＴＳパケット（以後、ＡＶデータと呼ぶ）とに分離する。データ分離部１２は、番組属性情報１８を管理データ作成部１３に、ＡＶデータ３１をキーフレーム情報抽出部１５に送信する。
【００６７】
キーフレーム情報抽出部１５は、受信したＡＶデータ３１を解析し、ランダムアクセス可能な位置となるフレーム（キーフレーム）を示す情報（キーフレーム情報１９）を生成するものである。なお、このキーフレーム情報１９として、ＴＳパケットの先頭から０，１，２…と振ったインデックス番号またはＴＳパケットの先頭からのバイト数などを示す情報が挙げられる。また、このキーフレーム情報１９には、各キーフレームの再生時刻（再生時間）２６を示す時間情報も含まれる。キーフレーム情報抽出部１５は、データ分離部１２から受信したＡＶデータ３１を記録制御部１４に送信するとともに、生成したキーフレーム情報１９を管理データ作成部１３に送信する。
【００６８】
なお、上記したランダムアクセス可能な位置とは、例えば、映像ストリームがＭＰＥＧ−２（Moving Picture Expert Group Phase 2）またはＭＰＥＧ−４（Moving Picture Expert Group Phase 4）などの映像符号化国際標準方式の場合では、画面内符号化であるＩフレームの先頭に相当する。また、ＡＡＣ（Advanced Audio Coding）などの音声符号化国際標準方式の場合では、ＡＤＴＳ（Audio Data Transport Stream）フレームの先頭に相当する。
【００６９】
管理データ作成部１３は、受信した番組属性情報１８から番組名、放送時間、著作権情報、および番組内容などの情報を抽出し、これら抽出した情報とキーフレーム情報抽出部１５から受信したキーフレーム情報１９とに基づき管理データ３２を生成するものである。例えば、管理データ作成部１３は、管理データ３２を、以下のようにして作成することができる。なお、前提として放送信号記録装置１が放送信号１６を受信し記録している最中に、ある番組（番組Ａ）が終了し次の別の番組(番組Ｂ)が開始されるものとする。
【００７０】
すなわち、まず、番組Ａのデータを含む放送信号１６を受信すると、チューナ部１１がこの放送信号１６を放送データ１７に変換しデータ分離部１２に送信する。データ分離部１２は、チューナ部１１から放送データ１７を受信すると、番組Ａに関する番組属性情報１８と番組Ａに関するＡＶデータ３１とに分離する。データ分離部１２により分離された番組属性情報１８は、管理データ作成部１３に送信される。そして、管理データ作成部１３においてこの番組属性情報１８は保持される。
【００７１】
ここで、番組Ａが終了し新たな番組Ｂの放送信号１６を受信すると、この番組Ｂに関する番組属性情報１８が上記した番組Ａの番組属性情報１８と同様に管理データ作成部１３に送信される。このように、番組Ａの番組属性情報１８の後に続いて番組Ｂの番組属性情報１８を受信した場合、管理データ作成部１３は、受信した番組属性情報１８それぞれを、図３に示すように“●●”などのデリミタ記号（区切り記号）で挟む形式で結合する。なお、このデリミタ記号とは、ある要素とある要素との区切り記号として利用される記号である。なお、この図３は、本実施の形態に係る放送信号再生装置２におけるリスト表示データ２８の記述形式の一例を示すものである。
【００７２】
また、上述のように、管理データ作成部１３は、例えば番組名などの番組属性情報１８を複数種類受信した場合、デリミタ記号を挟んで各番組名を結合させる形式とすることができる。このようにデリミタを利用して、管理データ作成部１３は、各番組に応じた番組属性情報１８を区別させることができるため、番組属性情報１８の格納領域が１つであっても複数番組の番組属性情報１８を記録させることができる。
【００７３】
また、上記管理データ作成部１３では、受信した放送信号１６に複数番組が含まれる場合、各番組の番組属性情報１８を上記したデリミタ記号によって識別できるようにする構成であった。しかしながら、このデリミタ記号は“●●”に限定されるものではない。すなわち、番組名等の番組属性情報１８の切れ目が識別できる記号であればよい。
【００７４】
また、デリミタ記号を使うと属性情報を表す記号において、このデリミタ記号として利用されている記号を使用することができなくなる。そこで、上記したようなデリミタ記号を使わずに、番組名等の番組属性情報１８をそれぞれ番組名の長さで区別する構成としてもよい。
【００７５】
上記管理データ生成部１３は、管理データ３２を生成すると、この生成した管理データ３２を記録制御部１４に送信する。
【００７６】
記録制御部１４は、生成されたＡＶデータ３１と管理データ３２とを所定のフォーマットに変換し、データ記憶部３に記録するように制御するものである。すなわち、記録制御部１４はキーフレーム情報抽出部１５からＡＶデータ３１を、管理データ作成部１３から管理データ３２を受信すると、図４に示すようにＡＶデータ３１のファイル名と管理データ３２のファイル名とが対応関係を示すように関連性を持たせてデータ記憶部３に記録させる。なお、この図４は、本実施の形態に係るデータ記憶部３に記憶されるＡＶデータ３１と管理データ３２との対応関係を示す図である。
【００７７】
なお、本実施の形態に係る放送信号記録装置１では、ＡＶデータ３１と管理データ３２とをそれぞれ別ファイルとして管理する構成であるがこれに限定されるものではなく、対応するＡＶデータ３１と管理データ３２との両者を、１つのファイルにまとめて管理する構成であっても良い。
【００７８】
上述のように、本実施の形態に係る放送信号記録装置１は、データ分離部１２を備えているため、放送データ１７からＡＶデータ３１の番組属性情報１８を取得することができる。また、管理データ作成部１３を備えているため、取得した番組属性情報１８に基づき、該番組属性情報１８に応じたＡＶデータ３１を管理するための管理データ３２を作成しデータ記憶部３に記憶させることができる。このため、データ記憶部３から管理データ３２を読み出し参照することにより、データ記憶部３に記憶されているＡＶデータ３１に関する内容を把握することができる。
【００７９】
また、上記管理データ作成部１３は、受付けた放送信号１６に複数種類の番組コンテンツのＡＶデータ３１が含まれる場合、この複数種類のＡＶデータ３１の番組属性情報１８それぞれを結合して管理データ３２を生成する。このため、複数種類の番組コンテンツを含むＡＶデータ３１を例えば１つのファイルでデータ記憶部３に記録した場合であっても、この管理データ３２を参照するだけで、データ記憶部３に記録されたＡＶデータ３１それぞれの内容について把握することができる。
【００８０】
このように、本実施の形態に係る放送信号記録装置１は、データ記憶部３に記憶された管理データ３２を参照するだけで、複数種類のＡＶデータ３１それぞれの内容を容易に把握することができる。
【００８１】
（放送信号再生装置の構成）
続いて、図５を参照して本実施の形態に係る放送信号再生装置２について説明する。なお、この図５は本発明の実施形態を示す図であり、放送信号再生装置２の要部構成を示すブロック図である。
【００８２】
放送信号再生装置２は、データ復号部２１、表示合成部（コンテンツデータ出力手段）２２、管理データ解析部２３、リスト表示データ作成部（属性情報出力手段）２４、および読み出し制御部２５を備えてなる構成である。
【００８３】
読み出し制御部２５は、データ記憶部３から所定フォーマットで記録されたＡＶデータ３１および管理データ３２をそれぞれ読み出すものである。すなわち、読み出し制御部２５は、まず、管理データ３２をデータ記憶部３から読み出し、後述する管理データ解析部２３に送信する。そして、この管理データ解析部２３が受信した管理データ３２を解析し、得られたキーフレーム情報１９を読み出し制御部２５に送信する。
【００８４】
次いで、読み出し制御部２５は、ＡＶデータ３１の読み出しを、この受信したキーフレーム情報１９を利用しながら、操作部（不図示）により受付けたユーザからの指示に応じて行う。すなわち、上記キーフレーム情報１９はＡＶデータ３１における各キーフレームの再生時刻２６を示す時間情報と、このキーフレームとなるフレームに対応するＴＳパケットインデックス番号（位置情報）とを含んでおり、読み出し制御部２５は以下のようにしてＡＶデータ３１の読み出しを行うことができる。
【００８５】
例えば、ユーザの指示が「番組Ａにおける１０秒目からの再生開始」を示すものである場合、読み出し制御部２５は、番組ＡのＡＶデータ３１において、再生開始可能位置（先頭）から１０秒後に再生される位置に最も近いキーフレームに対応するキーフレーム情報１９を探索する。そして、読み出し制御部２５は、探索したキーフレーム情報１９に含まれる、ＡＶデータ３１における先頭からの位置情報に応じてＡＶデータ３１を読み出すように制御する。
【００８６】
また、上記したユーザからの指示は、「番組Ａにおける１０秒目からの再生開始」を示す指示の代わりに「２番組目からの再生開始」など、番組の記録順番を指定する指示であってもよい。このように、番組の記録順番を指定して再生を指示する場合であっても、１番目の番組の再生にかかる時間の長さから２番目の番組の再生が開始される時間を導出することができる。このため、再生開始時刻を直接指定した場合と同様にしてＡＶデータ３１の読み出しを制御することができる。
【００８７】
なお、この読み出し制御部２５によるＡＶデータ３１および管理データ３２の読み出しは、上記したような操作部からの指示に限定されるものではない。例えば、放送信号再生装置２が、データ記憶部３へのＡＶデータ３１および管理データ３２それぞれの記録が完了した旨の通知を、放送信号記録装置１から受付け、この通知に応じて行う構成であってもよい。
【００８８】
上記読み出し制御部２５は、上記のようにしてデータ記憶部３からＡＶデータ３１を読み出すと、データ復号部２１に送信する。
【００８９】
データ復号部２１は、読み出し制御部２５により読み出されたＡＶデータ３１から映像ストリームおよび音声ストリームを抽出するものである。データ復号部２１は、抽出した映像ストリームおよび音声ストリームそれぞれを復号して映像信号、音声信号を生成し表示合成部２２に送信するとともに、ＡＶデータ３１における各番組に対応するフレームの再生時刻２６を、後述する管理データ解析部２３に出力する。
【００９０】
なお、上記した再生時刻２６を示す情報は、読み出したＡＶデータ３１の一部としてフレーム単位に格納されており、データ復号部２１は、ＡＶデータ３１の復号時に、この格納されている再生時刻２６も抽出する。なお、再生時刻２６は、ＡＶデータ３１に含まれる各番組の先頭の再生時刻２６が常に０とは限らないため、抽出した再生時刻２６から各番組の先頭の再生時刻を差し引いて算出する。
【００９１】
管理データ解析部２３は、読み出し制御部２５から受信した管理データ３２からキーフレーム情報１９を抽出し、該読み出し制御部２５に出力するものである。また、管理データ解析部２３は、データ復号部２１から受信した再生時刻２６と、読み出し制御部２５により読み出された管理データ３２とに基づき、表示させる番組に関連する情報である表示データ２７を生成するものでもある。例えば、番組名の情報が図３に示す形式で管理データ３１に含まれている場合、管理データ解析部２３は、デリミタ記号“●●”を目印に番組名の情報を分割し、さらに管理データ３２に含まれる放送時刻情報を利用して、データ復号部２１から受信した再生時刻２６に対応する番組情報を抽出することができる。
【００９２】
より具体的には、管理データ３２として図３に示すように３件の番組名が含まれる場合、各番組の分割位置は、先頭の番組開始時点から１時間経過時点と、３時間経過時点となる。すなわち、再生時刻２６が０から１時間までは「ニュース」(番組Ａ)が、１時間から３時間までは「ドラマ」(番組Ｂ)が、それ以降の時間では「今日の料理」（番組Ｃ）の映像および音声ストリームが対応付けられれば良い。管理データ解析部２３は、上記して生成した表示データ２７を表示合成部２２に送信する。
【００９３】
また、管理データ解析部２３は、データ復号部２１から受信した再生時刻２６と、管理データ３２から抽出した番組情報とに基づき作成した番組ごとの情報をリスト表示データ作成部２４に送信する。なお、このリスト表示データ作成部２４は、データ記億部３に記憶されているＡＶデータ３１に含まれる番組コンテンツ全てに応じた各番組の情報をリスト表示データ作成部２４に送信する。
【００９４】
なお、本実施の形態に係る放送信号再生装置２がデータ記憶部３から読み出す管理データ３２では、各番組名を上記したデリミタ記号により識別できるように構成されていたが、これに限定されるものではない。すなわち、番組名等の番組属性情報１８の切れ目が識別できる記号であればよい。
【００９５】
また、デリミタ記号を使うと番組属性情報１８を記述するための記号において、このデリミタ記号をあらわす記号と同一の記号を含めることができなくなる。そこで、上記したような、デリミタ記号を使わずに、番組名等の番組属性情報１８をそれぞれ番組名の長さ、あるいは各番組属性情報１８のデータ量によって区別する構成としてもよい。
【００９６】
リスト表示データ作成部２４は、データ記憶部３に存在するＡＶデータ３１に対し、このＡＶデータ３１に含まれる各番組すべてを示すリストを作成するものである。リスト表示データ作成部２４は、管理データ解析部２３から受信した番組の情報を用いてこれら番組を特定するリストを表示させるためのリスト表示データ２８を作成する。リスト表示データ作成部２４は、作成したリスト表示データ２８を表示装置５に出力し該リスト表示データ２８に基づく表示を行うように制御する。
【００９７】
より具体的には、リスト表示データ作成部２４は、以下のようにして上記リスト表示データ２８の表示を行うように制御する。すなわち、データ記憶部３から読み出したＡＶデータ３１において、図３に示すように３件の番組コンテンツが含まれており、各番組の番組名がデリミタ記号によって区別されている場合、リスト表示データ作成部２４は、まずこのデリミタ記号の存在によりＡＶデータ３１には複数の番組が含まれていることを把握する。
【００９８】
このようにリスト表示データ作成部２４は、読み出したＡＶデータ３１に複数の番組が含まれていると判断すると、図６に示すように、図３に示すデリミタ記号を取り除いた形式で番組名を並べ表示可能となるようにリスト表示データ２８を生成する。なお、この図６は、本実施の形態に係る表示装置５におけるリスト表示データ２８の表示例を示す図である。
【００９９】
以上のようにリスト表示データ作成部２４では、管理データ解析部２３から受信した番組の情報に含まれるデリミタ記号に基づき、読み出したＡＶデータ３１に複数の番組コンテンツが含まれるか否かを把握することができる。また、読み出したＡＶデータ３１に複数の番組コンテンツが含まれることを把握した場合、デリミタを取り除いた形式で番組名を並べて表示できるようにリスト表示データ２８を作成することができる。言い換えれば、リスト表示データ作成部２４は１ファイルのリスト表示データ２８で複数の番組名を表示させることができる。
【０１００】
また、放送信号再生装置２が上記したデリミタ記号によって規定されるフォーマットに非対応の場合であっても、例えば図７に示すように単にデリミタ"●●“を表示するだけで１ファイルのリスト表示データ２８により複数の番組名を表現することができる。この図７は、本実施の形態に係る表示装置５におけるリスト表示データ２８の表示例を示す図である。
【０１０１】
なお、本実施の形態に係る放送信号再生装置２では、再生を所望する番組をユーザに選択させるために、上記したリスト表示データ２８を表示装置５に表示させている。すなわち、ユーザは、表示装置５の表示領域において表示されている番組名を参照し、再生を所望する番組に関する情報を表示装置５が備える操作部（不図示）を操作して入力する。このユーザによって入力された上記番組の情報は、表示装置５から放送信号再生装置２に送信され、後述する表示合成部２２が受信する。
【０１０２】
表示合成部２２は、データ復号部２１から受信した映像信号および音声信号を表示装置５に出力し再生するように制御するものである。表示合成部２２は、管理データ解析部２３から受信した表示データ２７を参照して、表示装置５から受信した上記番組の情報に基づき、再生が所望される映像信号と音声信号とを合成し表示装置５に出力する。
【０１０３】
このように、本実施の形態に係る放送信号再生装置２は、ユーザから再生が指示された番組を示す情報を受付けると、この番組に対応する映像信号および音声信号を合成表示装置５に出力することができる。
【０１０４】
上記のように、本実施の形態に係る放送信号再生装置２は、複数の番組属性情報１８を結合して管理データ３２が生成されている場合であっても、管理データに埋め込まれたデリミタ記号、あるいは番組属性情報１８それぞれの長さ、またはデータ量に基づき各属性情報を分離させて出力させることができる。このため、ユーザに対してコンテンツデータの種類ごとに応じた番組属性情報１８を選択させることができる。よって、上記放送信号再生装置２は、ユーザに対して所望の番組属性情報１８を選択させることができるため、該ユーザが所望する番組コンテンツのＡＶデータ３１を出力させることができる。
【０１０５】
（放送信号編集装置）
次に、図８を参照して本実施の形態に係る放送信号編集装置４の構成について説明する。なお、この図８は、本発明の実施形態を示すものであり、放送信号編集装置４の要部構成の一例を示すブロック図である。放送信号編集装置４は、図８に示すように、ＡＶデータ分離処理部（データ分割・結合手段）４１、管理データ分離処理部（データ分割・結合手段）４２、分割位置情報変換部（決定手段）４３、キーフレーム情報抽出部（キーフレーム情報抽出手段）４４、および分割位置情報入力部（受付け手段）４５を備えてなる構成である。この放送信号編集装置４は、ＡＶデータ３１および管理データ３２を、外部から入力された分割位置情報（指定情報）４７に応じて分離するものである。
【０１０６】
キーフレーム情報抽出部４４は、データ記憶部３に記憶されている管理データ３２を読み出し、これに含まれるキーフレーム情報４６を抽出するものである。なお、この抽出されるキーフレーム情報４６は、上記した放送信号再生装置２において管理データ解析部２３により抽出されるキーフレーム情報１９と同様の情報である。
【０１０７】
すなわち、このキーフレーム情報４６は、ＡＶデータ３１における各キーフレームの再生時刻２６を示す時間情報と、このキーフレームとなるフレームに対応するＴＳパケットインデックス番号とを含む。なお、ＴＳパケットのパケットサイズが予め決められているため、再生時刻２６が決まれば、このキーフレームのＴＳパケットインデックス番号と、コンテンツデータの先頭からのバイト位置とを換算することはできる。上記キーフレーム情報抽出部４４は、この抽出したキーフレーム情報４６を分割位置情報変換部４３に送信する。
【０１０８】
分割位置情報変換部４３は、キーフレーム情報抽出部４４から受信したキーフレーム情報４６に基づき、分割位置情報入力部４５から入力された分割位置情報４７を参照して、この分割位置情報４７に最も近いキーフレームの位置を求めるものである。分割位置情報変換部４３は、この求めたキーフレームの位置をＡＶデータ分割位置情報４８として出力する。
【０１０９】
すなわち、上記ユーザによって入力される分割位置情報４７は、ＡＶデータ３１に含まれる各番組コンテンツの再生位置における先頭からの再生時刻２６を示す時間情報である。一方、キーフレーム情報抽出部４４から受信したキーフレーム情報４６には、各キーフレームの時間情報と、この時間情報に対応するＴＳパケットのインデックス番号が含まれており、また、ＴＳパケットの各パケットサイズはあらかじめ決まっている。
【０１１０】
このため、上記分割位置情報変換部４３は、上記分割位置情報４７とキーフレーム情報４６とに基づき、この分割位置情報４７に最も近いキーフレームの位置を、ＡＶデータ３１におけるＴＳパケットインデックス番号と先頭からのバイト位置とで表すことができる。そして、分割位置情報変換部４３は、このＴＳパケットのインデックス番号をＡＶデータ分割位置情報４８として出力する。
【０１１１】
このように分割位置情報変換部４３では、入力された分割位置情報４７（再生時刻２６を示す時間情報）に対して、キーフレーム情報４６に含まれる再生時刻２６を用い、この分割位置情報４７に最も近いキーフレームの位置を求めることができる。
【０１１２】
なお、この分割位置情報４７は、この再生時刻２６を示す時間情報に限定されるものではなく、ＴＳパケットのインデックス番号によって示される情報であっても良い。このように入力された分割位置情報４７がＴＳパケットのインデックス番号である場合は、分割位置情報変換部４３は、ＴＳパケットインデックス番号をバイトに換算して最も近いキーフレーム情報４６を得る。なおこの場合得られるキーフレームの位置を示す情報、すなわちＡＶデータ分割位置情報４８もＴＳパケットインデックス番号となる。
【０１１３】
また、分割位置情報４７は、データ記憶部３から読み出したＡＶデータ３１の再生位置における先頭からのビット数もしくはバイト数などの情報であってもよく、この場合、分割位置情報変換部４３は、ＡＶデータ分割位置情報４８を、上記キーフレーム情報４６を用いずに入力された分割位置情報４７をそのまま用いて求めることができる。
【０１１４】
上記分割位置情報変換部４３は、求めたＡＶデータ分割位置情報４８を管理データ分離処理部４２とＡＶデータ分離処理部４１に送信する。
【０１１５】
管理データ分離処理部４２は、分割位置情報変換部４３から受信したＡＶデータ分割位置情報４８で指定された位置で管理データ３２ａと管理データ３２ｂとに分割するものである。すなわち、管理データ分離処理部４１は、分割位置情報変換部４３から受信したＡＶデータ分割位置情報４８に基づき、このＡＶデータ分割位置情報４８よりも再生位置が前となるＡＶデータ３１ａに関する管理情報３２ａと、このＡＶデータ分割位置情報４８よりも再生位置が後となるＡＶデータ３１ｂに関する管理情報３２ｂとをそれぞれ生成する。より具体的には、管理データ分離処理部４２は、図９に示すようにして管理情報を分割する。なお、この図９は、本実施の形態に係る放送信号編集装置４におけるＡＶデータ３１および管理データ３２それぞれの分割処理の一例を示す図である。
【０１１６】
すなわち、まず前提として、図９に示すように、（１）〜（９）の９つのキーフレーム情報４６を持つ番組コンテンツを分割するものとし、ＡＶデータ分割位置情報４８はキーフレーム（３）を特定するＴＳパケットのインデックス番号であるとする。
【０１１７】
このような前提において、管理データ分離処理部４２は、キーフレーム（３）の前後でＡＶデータ３１の管理データ３２を分割させることとなり、分割された一方の管理データ３２ａはキーフレーム情報４６として（１）、（２）を、もう一方の管理データ３２ｂは、キーフレーム情報４６（３）〜（９）を含む。また、管理データ３２に含まれる番組情報は、図９に示すようにＡＶデータ分割位置情報４８が番組の切れ目に一致しており、分割位置となるデリミタ記号“●●”の境界で番組名を分離させる。そして、デリミタ記号の前の番組名情報「７：００：ニュース」が管理データ３２ａに含まれ、デリミタ記号の後の番組名情報「８：００ドラマ●●１０：００：今日の料理」が管理データ３２ｂに含まれる。
【０１１８】
一方、図１０に示すように、ＡＶデータ分割位置情報４８が番組の切れ目に一致せず番組の途中で分割される場合、管理データ３２ａおよび管理データ３２ｂの両方には、それぞれ分割された番組の番組名、すなわち、図１０に示す「８：００：ドラマ」が含まれる。そして、管理データ分離処理部４２は、この分割した管理データ３２ａと管理データ３２ｂとをデータ記憶部３に記憶させる。なお、この図１０は、本実施の形態に係る放送信号編集装置４におけるＡＶデータ３１および管理データ３２それぞれの分割処理の一例を示す図である。
【０１１９】
すなわち、上記管理データ３２には、番組属性情報１８としてコンテンツデータに関する情報が管理データ３２に含まれている。このため、ＡＶデータ分割位置情報４８によって指定された位置の直前にあるＡＶデータの番組属性情報１８と、該指定された位置の直後にあるＡＶデータの番組属性情報１８とを比較することにより、ＡＶデータ分割位置情報４８によって指定された位置が番組の切れ目に一致するか否かを判定することができる。
【０１２０】
また、この判定によってＡＶデータ分割位置情報４８によって指定された位置が番組の切れ目に一致しない場合は、ＡＶデータ分割位置情報４８によって指定された位置の直前にある管理情報と、直後にある管理情報との両者に分割される番組の番組名を割り当てる。
【０１２１】
なお、ＡＶデータ分割位置情報４８によって指定された位置が番組の切れ目に一致するか否かの判定として用いられる番組属性情報１８は、番組の放送時間帯を示す情報であってもよいし、番組名であってもよい。
【０１２２】
ＡＶデータ分離処理部４１は、データ記憶部３から読み出したＡＶデータ３１を、ＡＶデータ分割位置情報４８で指定された位置でＡＶデータ３１ａとＡＶデータ３１ｂとに分割するものである。
【０１２３】
例えば図９および図１０に示すように、前提として（１）〜（９）の９つのキーフレーム情報４６を持つコンテンツを分割するものとし、ＡＶデータ分割位置情報４８は、図９ではキーフレーム（３）を、図１０ではキーフレーム（５）に近いＴＳパケットのインデックス番号であるとする。
【０１２４】
そこで、ＡＶデータ分離処理部４１は、データ記憶部３から読み出したＡＶデータ３１を、ＡＶデータ分割位置情報４８に基づき、図９に示すように、キーフレーム（３）の前後、すなわちキーフレーム（１）（２）を含むＡＶデータ３１ａと、キーフレーム（３）〜（９）を含むＡＶデータ３１ｂとに分離する。
【０１２５】
あるいは、ＡＶデータ分離処理部４１は、データ記憶部３から読み出したＡＶデータ３１を、ＡＶデータ分割位置情報４８に基づき、図１０に示すように、キーフレーム（５）の前後、すなわちキーフレーム（１）〜（４）を含むＡＶデータ３１ａと、キーフレーム（５）〜（９）を含むＡＶデータ３１ｂとに分離する。
【０１２６】
そして、ＡＶデータ分離処理部４１は、分離したＡＶデータ３１ａとＡＶデータ３１ｂとをそれぞれデータ記憶部３に記憶させる。なお、上記図９および図１０に示す具体例の説明ではＡＶデータ３１および管理データ３２それぞれ２つに分割する場合について説明しているが、２つに分割する処理を繰り返すことにより、任意の数の分割を行うことも可能となる。
【０１２７】
また、逆に２つに分割されたＡＶデータ３１および管理データ３２それぞれを連結させて１つのデータとする場合、上記したＡＶデータ３１および管理データ３２それぞれ２つに分割する処理とは逆の処理を行えればよいためこの処理の説明は省略する。
【０１２８】
以上のように、本実施の形態に係る放送信号編集装置４は、複数の番組を含むコンテンツ（ＡＶデータ３１）を、分割位置情報４７により指定する任意の地点で分割することができる。また、この分割位置が各番組の切れ目に該当せず上記したように同一の番組の管理データ３２を管理データ３２ａと管理データ３２ｂとに分割させてしまうような場合では、この途中で分割される番組の番組属性情報１８を、管理データ３２ａと管理データ３２ｂとのそれぞれに格納することができる。
【０１２９】
なお、上記した本実施の形態に係る放送信号処理システム１００では、放送信号記録装置１、放送信号再生装置２、データ記憶部３、放送信号編集装置４、表示装置５それぞれが異なる装置により実現される構成であった。しかしながら、これら各装置が備える各部を備え１つの装置として構成してもよい。
【０１３０】
また、上記放送信号記録装置１と放送信号再生装置２とデータ記憶部３と図１１に示すように１つの装置として構成してもよい。この場合、ＡＶデータ３１をデータ記憶部３に記憶させることなくデータ分離部１２からデータ復号部２１に直接入力し、再生させることも可能になる。また、ＡＶデータ３１のデータ記憶部３への記録と、放送信号再生装置２における再生処理とを同時に実施すれば、いわゆる追っかけ再生も可能になる。
【０１３１】
なお、図１１は、本実施の形態に係る放送信号記録装置１と放送信号再生装置２とを組み合わせて一装置として構成した場合における要部構成の一例を示すブロック図である。
【０１３２】
最後に、上述した放送信号記録装置１、放送信号再生装置２、および放送信号編集装置４それぞれが備える各ブロックは、ハードウェアロジックによって構成してもよく、次のようにコンピュータを用いてソフトウェアによって実現してもよい。
【０１３３】
すなわち、放送信号記録装置１、放送信号再生装置２、および放送信号編集装置４は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである放送信号記録装置１、放送信号再生装置２、および放送信号編集装置４それぞれの制御プログラムのプログラムコード（実行形式プログラム、中間コードプログラム、ソースプログラム）をコンピュータで読み取り可能に記録した記録媒体を、上記放送信号記録装置１、放送信号再生装置２、および放送信号編集装置４それぞれに供給し、そのコンピュータ（またはＣＰＵやＭＰＵ）が記録媒体に記録されているプログラムコードを読み出し実行することによっても、達成可能である。
【０１３４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１３５】
また、放送信号記録装置１、放送信号再生装置２、および放送信号編集装置４それぞれを通信ネットワークと接続可能に構成し、上記プログラムコードを通信ネットワークを介して供給してもよい。この通信ネットワークとしては、特に限定されず、例えば、ＬＡＮ、ＩＳＤＮ、ＡＤＳＬ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、イーサネット（登録商標）等の有線でも、ＩｒＤＡやリモコンのような赤外線、Ｂｌｕｅｔｏｏｔｈ（登録商標）、ＩＥＥＥ８０２．１１無線、ＨＤＲ、ＵＷＢ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１３６】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１３７】
本発明に係る記録装置は、放送データからデータの種別を示す種別情報を読み出し、該種別情報に基づき放送データをコンテンツデータと属性情報とに分離する分離手段と、上記分離手段によって分離された属性情報に基づき、上記コンテンツデータを管理するための管理用データを生成する管理用データ生成手段とを備え、上記受付けた伝送信号に複数種類のコンテンツデータが含まれる場合、上記管理用データ生成手段は、該複数種類のコンテンツデータの属性情報それぞれを結合して管理用データを生成する。このため、複数種類のコンテンツデータを含む放送データを１ファイルで記録する場合などにおいて、該記録された放送データの内容を確認する必要がある場合に適用できる。
【図面の簡単な説明】
【０１３８】
【図１】本発明の実施形態を示すものであり、放送信号記録装置の要部構成を示すブロック図である。
【図２】本発明の実施形態を示すものであり、放送信号処理システムの概略構成を示すブロック図である。
【図３】本実施の形態に係る放送信号再生装置におけるリスト表示データの記述形式の一例を示すものである。
【図４】本実施の形態に係るデータ記憶部に記憶されるＡＶデータと管理データとの対応関係を示す図である。
【図５】本発明の実施形態を示す図であり、放送信号再生装置の要部構成を示すブロック図である。
【図６】本実施の形態に係る表示装置におけるリスト表示データの表示例を示す図である。
【図７】本実施の形態に係る表示装置におけるリスト表示データの表示例を示す図である。
【図８】本発明の実施形態を示すものであり、放送信号編集装置の要部構成の一例を示すブロック図である。
【図９】本実施の形態に係る放送信号編集装置におけるＡＶデータおよび管理データそれぞれの分割処理の一例を示す図である。
【図１０】本実施の形態に係る放送信号編集装置におけるＡＶデータおよび管理データそれぞれの分割処理の一例を示す図である。
【図１１】本実施の形態に係る放送信号記録装置と放送信号再生装置とを組み合わせて一装置として構成した場合における要部構成の一例を示すブロック図である。
【符号の説明】
【０１３９】
１    放送信号記録装置（記録装置）
２    放送信号再生装置（出力装置）
３    データ記憶部（記憶装置）
４    放送信号編集装置(編集装置)
１２  データ分離部（分離手段）
１３  管理データ作成部（管理用データ生成手段）
１５  キーフレーム情報抽出部（抽出手段）
１６  放送信号
１７  放送データ
１８  番組属性情報（属性情報）
１９  キーフレーム情報
２２  表示合成部（コンテンツデータ出力手段）
２４  リスト表示データ作成部（属性情報出力手段）
２６  再生時刻
２８  リスト表示データ
３１  ＡＶデータ（コンテンツデータ）
３１ａ  ＡＶデータ（コンテンツデータ）
３１ｂ  ＡＶデータ（コンテンツデータ）
３２  管理データ（管理用データ）
３２ａ  管理データ（管理用データ）
３２ｂ  管理データ（管理用データ）
４１  ＡＶデータ分離処理部（データ分割・結合手段）
４２  管理データ分離処理部（データ分割・結合手段）
４３  分割位置情報変換部（決定手段）
４４  キーフレーム情報抽出部（キーフレーム情報抽出手段）
４５  分割位置情報入力部（受付け手段）
４６  キーフレーム情報
４７  分割位置情報（指定情報）
１００  放送信号処理システム
【図１】
2007124575.tif 000003
【図２】
2007124575.tif 000004
【図３】
2007124575.tif 000005
【図４】
2007124575.tif 000006
【図５】
2007124575.tif 000007
【図６】
2007124575.tif 000008
【図７】
2007124575.tif 000009
【図８】
2007124575.tif 000010
【図９】
2007124575.tif 000011
【図１０】
2007124575.tif 000012
【図１１】
2007124575.tif 000013